(57)【特許請求の範囲】
【請求項１】
屋根上に架台を介して複数枚敷設された太陽電池パネル郡において、屋根の流れ方向の前後で隣接する太陽電池パネルの間隙に装着されるものであって、前記間隙を構成する太陽電池パネルの前後端フレームの上端面間に架設すると共に、該上端面上に配置される前後端部に雪止め突片を上方突設したクランプ上部と、該クランプ上部において前記間隙に対応する中央部上面にボルト頭が抜け止め掛止されると共に、螺子部が前記中央部を遊貫するボルトと、該ボルトにおいて前記間隙の下方開口部より下方へ突出する螺子部の先端に、横幅と奥行が前記間隙を上下挿通可能に該間隙より若干短く設定された平面視方形状の胴部の中央部が螺着され、該胴部の前後壁に横幅が前記間隙を上下挿通可能に設定され、且つ少なくとも胴部上方が前記下方開口部に挿嵌された回転不能状態で前後端フレームの下端面に触突可能な突片を外方突設したクランプ下部とから成ることを特徴とする太陽電池パネルの雪止め具。
【請求項２】
クランプ上部は、中央部を上記間隙の上方開口部内に挿脱自在に陥没配置し、中央部の上方開口部内への挿嵌状態でクランプ上部を回転不能と成したことを特徴とする請求項１記載の太陽電池パネルの雪止め具。
【請求項３】
クランプ上部は、少なくとも奥行が上記間隙を上下挿通可能に該間隙より若干短く設定された側面視断面形状が凹型の胴部を設け、該胴部の前後壁の適宜高さ位置に上記前後端フレームの上端面上に配置される前後端部を前後壁と同一幅をもって水平突設し、前後端部より上方突出する前後壁上部を雪止め突片と成すと共に、前後壁の下端間に介在する中央部にボルトを遊貫する挿通穴を貫設して成り、クランプ下部は、側面視断面形状がクランプ上部と同形であって、横幅と奥行が上記間隙を上下挿通可能に該間隙より若干短く設定された平面視方形状の胴部を設け、該胴部の前後壁の適宜高さ位置にこれと同一幅の突片を前後端フレームの下端面に触突可能に水平突設し、前後壁の間に介在する中央部にボルトが螺着する螺子穴を螺刻して成ることを特徴とする請求項１又は２記載の太陽電池パネルの雪止め具。
【請求項４】
請求項１乃至３記載の太陽電池パネルの雪止め具の取付け方法であって、クランプ下部をこれの突片の先端が上記間隙の長手方向に合致する様にして該間隙を上下通貫すると共に、クランプ上部を前後端フレームの上端面間に架設し、次いでボルト頭を上方へ引き上げながら９０度回転させることにより、クランプ下部の突片を前後端フレームの下端面に触突させ、これによりクランプ下部における突片より上方の胴部を前記間隙の下方開口部に挿嵌保持させてクランプ下部を回転不能と成し、かかる状態においてボルトを螺進させることにより、クランプ上部とクランプ下部とで前後端フレームを挟扼することを特徴とする雪止め具の取付け方法。
【発明の詳細な説明】
【技術分野】
【０００１】
本発明は、屋根上に設置された太陽電池パネルの雪止め具及びその取付け方法に関する。
【背景技術】
【０００２】
この種の雪止め具について、特許文献１には、屋根上に架台を介して複数枚敷設された太陽電池パネル郡において、屋根の桁行方向の左右で隣接する太陽電池パネル間に介装された間隙カバーに沿って設置したものが見受けられる。
より具体的には、上記間隙カバーの長手方向（屋根の流れ方向に同じ）に所定間隔置きに予め形成された螺子穴に雪止め具の固定部を螺子止めすることにより、太陽電池パネル上面より上方突出する雪止め部にて太陽電池パネル上の積雪の滑落を防止する。
【先行技術文献】
【特許文献】
【０００３】
【特許文献１】特開２０００−１７８００号公報（図６、図10）
【発明の概要】
【発明が解決しようとする課題】
【０００４】
しかしながら、上記雪止め具は、太陽電池パネルの左右幅の間隔置きに屋根の流れ方向に沿って列設できるだけであって、屋根の桁行方向の間隔を変えて自由に設置することができず、しかも間隙カバーがなければ固定できないといった課題を有していた。
そこで、本発明では、屋根の桁行方向に自由にして簡単に設置できる様にした太陽電池パネルの雪止め具及びその取付け方法を提供することを目的としている。
【課題を解決するための手段】
【０００５】
上記課題に鑑み、本発明に係る太陽電池パネルの雪止め具は、屋根上に架台を介して複数枚敷設された太陽電池パネル郡において、屋根の流れ方向の前後で隣接する太陽電池パネルの間隙に装着されるものであって、前記間隙を構成する太陽電池パネルの前後端フレームの上端面間に架設すると共に、該上端面上に配置される前後端部に雪止め突片を上方突設したクランプ上部と、該クランプ上部において前記間隙に対応する中央部上面にボルト頭が抜け止め掛止されると共に、螺子部が前記中央部を遊貫するボルトと、該ボルトにおいて前記間隙の下方開口部より下方へ突出する螺子部の先端に、横幅と奥行が前記間隙を上下挿通可能に該間隙より若干短く設定された平面視方形状の胴部の中央部が螺着され、該胴部の前後壁に横幅が前記間隙を上下挿通可能に設定され、且つ少なくとも胴部上方が前記下方開口部に挿嵌された回転不能状態で前後端フレームの下端面に触突可能な突片を外方突設したクランプ下部とから成ることを特徴とする。
又、クランプ上部は、中央部を上記間隙の上方開口部内に挿脱自在に陥没配置し、中央部の上方開口部内への挿嵌状態でクランプ上部を回転不能と成したことを特徴とする。
更に、クランプ上部は、少なくとも奥行が上記間隙を上下挿通可能に該間隙より若干短く設定された側面視断面形状が凹型の胴部を設け、該胴部の前後壁の適宜高さ位置に上記前後端フレームの上端面上に配置される前後端部を前後壁と同一幅をもって水平突設し、前後端部より上方突出する前後壁上部を雪止め突片と成すと共に、前後壁の下端間に介在する中央部にボルトを遊貫する挿通穴を貫設して成り、クランプ下部は、側面視断面形状がクランプ上部と同形であって、横幅と奥行が上記間隙を上下挿通可能に該間隙より若干短く設定された平面視方形状の胴部を設け、該胴部の前後壁の適宜高さ位置にこれと同一幅の突片を前後端フレームの下端面に触突可能に水平突設し、前後壁の間に介在する中央部にボルトが螺着する螺子穴を螺刻して成ることを特徴とする。
そして、上記太陽電池パネルの雪止め具の取付け方法にあっては、クランプ下部をこれの突片の先端が上記間隙の長手方向に合致する様にして該間隙を上下通貫すると共に、クランプ上部を前後端フレームの上端面間に架設し、次いでボルト頭を上方へ引き上げながら９０度回転させることにより、クランプ下部の突片を前後端フレームの下端面に触突させ、これによりクランプ下部における突片より上方の胴部を前記間隙の下方開口部に挿嵌保持させてクランプ下部を回転不能と成し、かかる状態においてボルトを螺進させることにより、クランプ上部とクランプ下部とで前後端フレームを挟扼することを特徴とする。
【発明の効果】
【０００６】
要するに本発明の太陽電池パネルの雪止め具は、上記構成から成るので、クランプ下部をこれの突片の先端が屋根の流れ方向の前後で隣接する太陽電池パネルの間隙の長手方向に合致する様にして、該間隙を上下通貫すると共に、クランプ上部を前後端フレームの上端面間に架設することにより、前記間隙の長手方向、即ち屋根の桁行方向に沿って個数や取付け位置を限定することなく、自由に設置できる。
そして、ボルト頭を上方へ引き上げながらボルトを９０度回転させることにより、クランプ下部の突片を前後端フレームの下端面に触突させ、これによりクランプ下部における突片より上方の胴部を上記間隙の下方開口部に挿嵌保持させてクランプ下部を回転不能と成し、かかる状態においてボルトを螺進させることにより、クランプ上部とクランプ下部とで前後端フレームを挟扼することができるので、新設や既設に限らず、従来必要としていた間隙カバーがなくとも簡単容易に雪止め具を設置できる。
【０００７】
又、クランプ上部は、中央部を上記間隙の上方開口部内に挿脱自在に陥没配置し、中央部の上方開口部内への挿嵌状態でクランプ上部を回転不能と成したので、クランプ上部を前後端フレームの上端面間に架設した時に、クランプ上部が勝手に回転せず、雪止め突片の位置決めが容易で、段取り良く以後の取付け作業も成し遂げることができる。
【０００８】
又、クランプ上部は、少なくとも奥行が上記間隙を上下挿通可能に該間隙より若干短く設定された側面視断面形状が凹型の胴部を設け、該胴部の前後壁の適宜高さ位置に上記前後端フレームの上端面上に配置される前後端部を前後壁と同一幅をもって水平突設し、前後端部より上方突出する前後壁上部を雪止め突片と成すと共に、前後壁の下端間に介在する中央部にボルトを遊貫する挿通穴を貫設して成り、クランプ下部は、側面視断面形状がクランプ上部と同形であって、横幅と奥行が上記間隙を上下挿通可能に該間隙より若干短く設定された平面視方形状の胴部を設け、該胴部の前後壁の適宜高さ位置にこれと同一幅の突片を前後端フレームの下端面に触突可能に水平突設し、前後壁の間に介在する中央部にボルトが螺着する螺子穴を螺刻して成るので、クランプ上部とクランプ下部とは、断面形状が同一の押し出し鍛造品として形成できる。
したがって、クランプ上部とクランプ下部を夫々に適合した長さに裁断し、クランプ上部の中央部にはボルトの挿通穴を、クランプ下部の中央部にはボルトの螺子穴を螺刻するだけで簡単に製造でき、そのコストの低廉化を図ることができる等その実用的効果甚だ大である。
【図面の簡単な説明】
【０００９】
【図１】雪止め具を設置した屋根の一例を示す一部省略斜視図である。
【図２】本発明に係る雪止め具の斜視図である。
【図３】同上雪止め具の取付け初期の状態を示す拡大側面図である。
【図４】同上雪止め具の取付け途中の状態を示す拡大側面図である。
【図５】同上雪止め具の取付け完了状態を示す拡大側面図である。
【図６】図３のＡ−Ａ断面図である。
【図７】軒先側の雪止め具の斜視図である。
【図８】同上雪止め具の取付け前の分解側面図である。
【図９】同上雪止め具の取付け完了状態を示す側面図である。
【発明を実施するための形態】
【００１０】
以下本発明の実施の一形態例を図面に基づいて説明する。
本発明に係る雪止め具１は、屋根Ｒ上に架台２を介して複数枚敷設された太陽電池パネル郡３において、屋根Ｒの流れ方向Ｙの前後で隣接する太陽電池パネル3a、3bの前後端フレーム４、５にて構成される間隙Ｓに装着されるものであり、断面形状が同一の押し出し鍛造品から成るクランプ上部６及びクランプ下部７と、これらを上下連結するボルト８から成る。
【００１１】
クランプ上部６は、少なくとも奥行Ｄが上記間隙Ｓを上下挿通可能に間隙Ｓよりも若干短く設定された側面視の断面形状が凹型の胴部９を設け、該胴部９の前後壁9a、9b外側面の適宜高さ位置に前後端フレーム４、５の上端面4a、5a上に配置される前後端部10、10ａを前後壁9a、9bと同一幅Ｗをもって水平突設し、前後端フレーム４、５の上端面4a、5a間に架設する様に成している。
【００１２】
これにより、間隙Ｓに対応する様に前後壁9a、9bの下端間に介在する中央部9cは、前後端部10、10ａに対し間隙Ｓの上方開口部S1内に挿脱自在に陥没配置され、クランプ上部６の前後端フレーム４、５の上端面4a、5aへの上記架設状態で上方開口部S1内に中央部9cが存することで間隙Ｓ内でのクランプ上部６を回転不能と成している。
そして、前後端部10、10ａより上方突出する前後壁9a、9b上部を雪止め突片11、11ａと成すと共に、中央部9cの中心にボルト８の螺子部8bを遊貫する挿通穴12を貫設している。
尚、クランプ上部６の横幅Ｗは、適宜長さに設定されるものであるが、その構成上、雪止め片11、11ａと同一長であるから、より長い方が好ましい。
【００１３】
クランプ下部７は、側面視の断面形状がクランプ上部６と同形であって上下が反転され、且つ横幅W1と奥行D1（奥行Ｄと同一長）が間隙Ｓを上下挿通可能に該間隙Ｓよりも若干短く設定された平面視方形状の胴部13を設け、該胴部13の前後壁13ａ、13ｂ外側面の適宜高さ位置に、これと同一長の横幅W2をもって間隙Ｓを上下挿通可能に設定された突片14、14ａを、少なくとも図示例の様に胴部13上方（突片14、14ａを前後壁13ａ、13ｂの外側面下端に突設した場合では胴部13のほぼ全部）が下方開口部S2に挿嵌された回転不能状態で前後端フレーム４、５の下端面4b、5bに触突可能に水平突設している。
又、胴部13において前後壁13ａ、13ｂの上端間に介在する中央部13ｃには、ボルト８が螺着する螺子穴15を螺刻している。
【００１４】
ボルト８は、クランプ上部６において胴部９の中央部9c上面にボルト頭8aが抜け止め掛止されると共に、挿通穴12を通して螺子部8bが下方へ向かって遊貫する様に設定され、クランプ上部６の上記架設状態で間隙Ｓの下方開口部S2より下方へ突出する様に長さが設定された螺子部8bの先端にクランプ下部７の胴部13の中央部13ｃが螺着される。
【００１５】
次に、上記の様に構成された雪止め具１の取付け方法について説明する。
先ず、上記の様に構成された雪止め具１におけるクランプ下部７をこれの突片14、14ａの先端が間隙Ｓの長手方向（屋根Ｒの桁行方向Ｘに同じ）に合致する様にして間隙Ｓを上下通貫すると共に、クランプ上部６を前後端フレーム４、５の上端面4a、5a間に架設する（図３参照）。
【００１６】
これにより、雪止め具１は、何らの支持手段を必要とすることなく、間隙Ｓ内に仮止め保持できる共に、クランプ上部６の前後端部10、10ａが前後端フレーム４、５の上端面4a、5a上に触突し、前後端部10、10ａの間の中央部6cが間隙Ｓの上方開口部S1内に段差を以て配置されることにより、クランプ上部６は勝手に回転することは無く、雪止め突片10、10ａを、その雪止め面が屋根Ｒの流れ方向Ｙに面する様にして、間隙Ｓの長手方向、即ち屋根Ｒの桁行方向Ｘに沿って配置できる。
かかる状態で雪止め具１を間隙Ｓに沿ってスライドさせることにより、簡単に雪止め片11、11ａを位置決めできる。
【００１７】
次いで、図４に示す様に、クランプ上部６の中央部9c上面に露出するボルト頭8aを上方へ引き上げながら９０度回転させることより、クランプ下部７の突片14、14ａを前後端フレーム４、５の下端面4b、5bに触突させる。
これによりクランプ下部７における突片14、14ａより上方の胴部13を間隙Ｓの下方開口部S2に挿嵌保持させてクランプ下部７を回転不能と成すことができる。
【００１８】
かかる状態において、ボルト８を螺進させることにより、クランプ上部６とクランプ下部７とで前後端フレーム４、５を挟扼する。
この様にして、雪止め具１は、屋根Ｒの流れ方向Ｙの前後で隣接する太陽電池パネル3a、3bの間隙Ｓに装着されるので、間隙Ｓの長手方向、即ち屋根Ｒの桁行方向Ｘに沿って個数や取付け位置を限定することなく自由に設置できる。
【００１９】
尚、雪止め具１の図３に示す状態から図４に示す状態への過程は、上記の様にボルト頭8aを上方へ引き上げながら９０度回転させるのがより望ましいが、この手法以外に、例えばクランプ上部６の中央部9c上面に露出するボルト頭8aを一旦90度回転させた後、ボルト８をクランプ上部６と共に上方へ引き上げ、その後にクランプ上部６のみを降下させ、これを再び上端面4a、5a間に架設させるなどの手法を採用することも可能であり、結果的に雪止め具１の図３に示す状態から図４に示す状態に至れば、その過程の手法は何ら限定されない。
【００２０】
又、本実施例では、クランプ下部７は、クランプ上部６とは、横幅Ｗ、W1を異にすると共に、上下反転したものを示したが、クランプ上部６と同様に上方が開放された凹型であっても、上記の如くクランプ上部６と共に前後端フレーム４、５を挟扼することは可能である。
【００２１】
又、本実施例では、和瓦を葺設した屋根Ｒ上に架台２を介して複数枚敷設された太陽電池パネル郡３に雪止め具１を取付けたものを示したが、屋根Ｒの上方に太陽電池パネル郡３を敷設し、その屋根Ｒの流れ方向Ｙの前後で隣接する太陽電池パネル3a、3bの間に間隙Ｓを有するものであれば、新設や既設のものに拘らず雪止め具１を取付けることは可能なため、架台２の構成を何ら限定しなくても良いし、屋根Ｒも和瓦葺きでなくとも平板瓦葺きやスレート葺きであっても良い。
【００２２】
又、上記では、屋根Ｒの流れ方向Ｙの前後で隣接する太陽電池パネル3a、3bの間隙Ｓに雪止め具１を取付けたものを示したが、以下では、図１に示す太陽電池パネル郡３において、軒先に位置する太陽電池パネル3aの屋根Ｒの流れ方向Ｙの前端に取付けられる雪止め具16について図７〜９に基づき説明する。
【００２３】
この雪止め具16は、垂直板部16ａの上端を雪止め突片17と成したＬ字板材から成り、水平板部16ｂの中央には螺子挿通穴16ｃを貫設している。
そして、架台２の前端上で太陽電池パネル3aの前端フレーム４を保持するブラケット18に雪止め具16が取付けられる。
【００２４】
ブラケット18は架台２に取付けられた固定具19において上方突出する螺子部19ａとナット19ｂにて固定されており、該ナット19ｂより上方へ更に突出する螺子部19ａを雪止め具16の螺子挿通穴16ｃに通して別途ナット20とワッシャ21にて締結することにより雪止め具16は固定される。
尚、雪止め具16において、垂直板部16ａの中央にはブラケット18に設けた上下２列の突条に干渉しない様に凹状の切欠を形成し、左右一対の雪止め突片17を太陽電池パネル3aの前端フレーム４を保持したブラケット18の上端よりも上方へ突出する様に成している。
【００２５】
上記の様に太陽電池パネル郡３において、屋根Ｒの流れ方向Ｙの前後で隣接する太陽電池パネル3a、3bの間隙Ｓや、軒先に位置する太陽電池パネル3aの前端に雪止め具１、16を固定することにより、太陽電池パネル３、3aの上面より上方へ雪止め片11、11ａ、17を突出させられ、これにより太陽電池パネル３、3a上面の積雪の滑落を阻止する。
【符号の説明】
【００２６】
１          雪止め具
２          架台
３          太陽電池パネル郡
３、3a      太陽電池パネル
４、５      前後端フレーム
4a、5a      上端面
4b、5b      下端面
６          クランプ上部
７          クランプ下部
８          ボルト
8a          ボルト頭
8b          螺子部
9a、9b      前後壁
9c          中央部
10、10ａ    前後端部
11、11ａ    雪止め突片
12          挿通穴
13          胴部
13ａ、13ｂ  前後壁
13ｃ        中央部
14、14ａ    突片
15          螺子穴
W1          横幅
W2          横幅
Ｒ          屋根
Ｓ          間隙
S1          上方開口部
S2          下方開口部
Ｙ          流れ方向
Ｄ          奥行
D1          奥行
【要約】
【課題】屋根の桁行方向に自由にして簡単に設置する。
【解決手段】屋根Ｒの流れ方向Ｙ前後で隣接する太陽電池パネル３、3aの間隙Ｓを構成する前後端フレーム４、５の上端面4a、5a間に架設すると共に、上端面4a、5a上に配置される前後端部10、10ａに雪止め突片11、11ａを上方突設したクランプ上部６と、クランプ上部６の間隙Ｓに対応する中央部9c上面にボルト頭8aが抜け止め掛止されると共に、螺子部8bが中央部9cを遊貫するボルト８と、ボルト８の間隙Ｓの下方開口部S2より下方へ突出する螺子部8bの先端に、横幅W1と奥行D1が間隙Ｓを上下挿通可能に間隙Ｓより短く設定された平面視方形状の胴部13の中央部13ｃが螺着され、胴部13の前後壁13ａ、13ｂに横幅W2が間隙Ｓを上下挿通可能に設定され、且つ胴部13上方が下方開口部S2に挿嵌された回転不能状態で前後端フレーム４、５の下端面4b、5bに触突可能な突片14、14ａを外方突設したクランプ下部７とから構成する。
【選択図】図５【図１】
0005576579.tif 000002
【図２】
0005576579.tif 000003
【図３】
0005576579.tif 000004
【図４】
0005576579.tif 000005
【図５】
0005576579.tif 000006
【図６】
0005576579.tif 000007
【図７】
0005576579.tif 000008
【図８】
0005576579.tif 000009
【図９】
0005576579.tif 000010